【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
遊技者が貸与された遊技用価値を用いて遊技が行われる遊技機であって、
電源バックアップされる記憶手段と、
記録媒体に記録されている記録情報で特定される有価価値を使用して遊技者に遊技用価値を貸与するための制御を行う遊技用装置と通信可能な通信手段と、
前記遊技用装置からの信号で特定される所定単位分の遊技用価値の量から課税率に対応した量を減算した遊技用価値の量を設定可能な課税情報設定手段と、
遊技機に電力供給が開始されたときに、前記記憶手段の記憶内容が保存されていないと判定された場合に、前記課税情報設定手段が設定した遊技用価値の量を前記記憶手段に格納する設定情報格納手段と、
前記通信手段が前記遊技用装置から受信した信号で特定される所定単位を示す情報を受信したときに、前記記憶手段に記憶されている遊技用価値の量を遊技者に貸与する遊技用価値の量として決定する貸与量決定手段と、
前記貸与量決定手段が決定した量の遊技用価値を遊技者に貸与する貸与手段と、
遊技機に電力供給が開始されたときに、前記記憶手段の記憶内容が保存されていると判定された場合に、前記課税情報設定手段が設定した遊技用価値の量と前記記憶手段に記憶されている遊技用価値の量とを比較し、それらが異なっている場合にエラー報知を行う電力供給開始時エラー報知手段とを含む
ことを特徴とする遊技機。
【請求項２】
遊技者が貸与された遊技用価値を用いて遊技が行われる遊技機であって、
電源バックアップされる記憶手段と、
記録媒体に記録されている記録情報で特定される有価価値を使用して遊技者に遊技用価値を貸与するための制御を行う遊技用装置と通信可能な通信手段と、
前記遊技用装置からの遊技用価値の量を最小単位まで特定可能な情報で特定される遊技用価値の量から課税率に対応した量を減算した遊技用価値の量を設定可能な課税情報設定手段と、
遊技機に電力供給が開始されたときに、前記記憶手段の記憶内容が保存されていないと判定された場合に、前記課税情報設定手段が設定した遊技用価値の量を前記記憶手段に格納する設定情報格納手段と、
前記通信手段が前記遊技用装置から遊技用価値の量を最小単位まで特定可能な情報を受信したときに、前記記憶手段に記憶されている遊技用価値の量を遊技者に貸与する遊技用価値の量として決定する貸与量決定手段と、
前記貸与量決定手段が決定した量の遊技用価値を遊技者に貸与する貸与手段と、
遊技機に電力供給が開始されたときに、前記記憶手段の記憶内容が保存されていると判定された場合に、前記課税情報設定手段が設定した遊技用価値の量と前記記憶手段に記憶されている遊技用価値の量とを比較し、それらが異なっている場合にエラー報知を行う電力供給開始時エラー報知手段とを含む
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技者が貸与された遊技媒体等の遊技用価値を用いて遊技が行われるパチンコ遊技機等の遊技機に関する。
【手続補正４】
【補正対象書類名】明細書
【補正対象項目名】０００６
【補正方法】変更
【補正の内容】
【０００６】
本発明は、上記のような課題を解決するためになされた発明であって、遊技用価値の貸出に際して課される税率が変更されても容易に対応することができる遊技機を提供することを目的とする。
【手続補正５】
【補正対象書類名】明細書
【補正対象項目名】０００７
【補正方法】変更
【補正の内容】
【０００７】
本発明による遊技機は、遊技者が貸与された遊技用価値（例えば遊技球等の遊技媒体）を用いて遊技が行われる遊技機であって、電源バックアップされる記憶手段と、記録媒体（例えばプリペイドカード）に記録されている記録情報で特定される有価価値を使用して遊技者に遊技用価値を貸与するための制御を行う遊技用装置（例えばカードユニット５０）と通信可能な通信手段（例えば払出制御用ＣＰＵ３７１，Ｉ／Ｏポート３７２ｂ、３７２ｆ）と、遊技用装置からの信号で特定される所定単位分の遊技用価値の量から課税率に対応した量を減算した遊技用価値の量を設定可能な（例えば課税情報設定スイッチ１８０）と、遊技機に電力供給が開始されたときに、記憶手段の記憶内容が保存されていないと判定された場合に、課税情報設定手段が設定した遊技用価値の量を記憶手段に格納する設定情報格納手段と、通信手段が遊技用装置から受信した信号で特定される所定単位を示す情報を受信したときに、記憶手段に記憶されている遊技用価値の量を遊技者に貸与する遊技用価値の量として決定する貸与量決定手段と（例えば払出制御用ＣＰＵ３７１）と、貸与量決定手段が決定した量の遊技用価値を遊技者に貸与する貸与手段と、遊技機に電力供給が開始されたときに、記憶手段の記憶内容が保存されていると判定された場合に、課税情報設定手段が設定した遊技用価値の量と記憶手段に記憶されている遊技用価値の量とを比較し、それらが異なっている場合にエラー報知を行う電力供給開始時エラー報知手段とを含むことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明による他の態様の遊技機は、遊技者が貸与された遊技用価値（例えば遊技球等の遊技媒体）を用いて遊技が行われる遊技機であって、電源バックアップされる記憶手段と、記録媒体（例えばプリペイドカード）に記録されている記録情報で特定される有価価値を使用して遊技者に遊技用価値を貸与するための制御を行う遊技用装置（例えばカードユニット５０）と通信可能な通信手段（例えば払出制御用ＣＰＵ３７１，Ｉ／Ｏポート３７２ｂ、３７２ｆ）と、遊技用装置からの遊技用価値の量を最小単位まで特定可能な情報で特定される遊技用価値の量から課税率に対応した量を減算した遊技用価値の量を設定可能な課税情報設定手段（例えば課税情報設定スイッチ１８０）と、遊技機に電力供給が開始されたときに、記憶手段の記憶内容が保存されていないと判定された場合に、課税情報設定手段が設定した遊技用価値の量を記憶手段に格納する設定情報格納手段と、通信手段が遊技用装置から遊技用価値の量を最小単位まで特定可能な情報を受信したときに、記憶手段に記憶されている遊技用価値の量を遊技者に貸与する遊技用価値の量として決定する貸与量決定手段（例えば払出制御用ＣＰＵ３７１）と、貸与量決定手段が決定した量の遊技用価値を遊技者に貸与する貸与手段と、遊技機に電力供給が開始されたときに、記憶手段の記憶内容が保存されていると判定された場合に、課税情報設定手段が設定した遊技用価値の量と記憶手段に記憶されている遊技用価値の量とを比較し、それらが異なっている場合にエラー報知を行う電力供給開始時エラー報知手段とを含むことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項１記載の発明では、遊技機を、遊技用装置からの信号で特定される所定単位分の遊技用価値の量から課税率に対応した量を減算した遊技用価値の量を設定可能な課税情報設定手段と、通信手段が遊技用装置から受信した信号で特定される所定単位を示す情報を受信したときに、記憶手段に記憶されている遊技用価値の量を遊技者に貸与する遊技用価値の量として決定する貸与量決定手段と、貸与量決定手段が決定した量の遊技用価値を遊技者に貸与する貸与手段とを含むように構成したので、遊技機側の設定の変更によって、遊技用価値の貸与に際して課される税率が変更されても容易に対応することができる効果がある。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
請求項２記載の発明では、遊技機を、遊技用装置からの遊技用価値の量を最小単位まで特定可能な情報で特定される遊技用価値の量から課税率に対応した量を減算した遊技用価値の量を設定可能な課税情報設定手段と、通信手段が遊技用装置から遊技用価値の量を最小単位まで特定可能な情報を受信したときに、記憶手段に記憶されている遊技用価値の量を遊技者に貸与する遊技用価値の量として決定する貸与量決定手段と、貸与量決定手段が決定した量の遊技用価値を遊技者に貸与する貸与手段とを含むように構成したので、遊技用価値の貸与に際して課される税率が変更されても容易に対応することができる効果がある。
【手続補正１２】
【補正対象書類名】明細書
【補正対象項目名】００１４
【補正方法】削除
【補正の内容】